【事件の表示】
　特願２００１−　４２４９３「弾球遊技機」拒絶査定不服審判事件〔平成１４年　８月２７日出願公開、特開２００２−２３９１０３〕について、次のとおり審決する。
【結　論】
　本件審判の請求は、成り立たない。
【理　由】
　
第一．手続きの経緯　
　本願は、平成１３年２月１９日の出願であって、平成１８年４月２８日付けで拒絶理由が通知され、これに対し、同年７月７日付けで手続補正がなされ、平成１９年１月１１日付けで拒絶査定がなされ、これに対し、同年２月１３日に拒絶査定不服の審判請求がなされ、その後、当審において、平成２１年３月１６日付けで拒絶理由が通知され、これに対し、同年５月１２日付けで手続補正がなされたものである。
　
第二．本願発明　
　本願の請求項１乃至４に係る発明は、上記平成２１年５月１２日付け手続補正により補正された特許請求の範囲の請求項１乃至４に記載されたとおりのものと認められるところ、その請求項１に記載された発明は次のとおりのものである。
　【請求項１】
　遊技領域（５ａ）に発射された遊技球が入賞又は通過する遊技部品（１８）を遊技盤（５）に備えた弾球遊技機において、
　前記遊技部品（１８）は、遊技盤（５）の表面に当接する合成樹脂製のベース部（２５，２５Ａ〜２５Ｄ）を備え、遊技球の落下方向を変化させる障害部材（４６，４６Ａ〜４６Ｄ）を遊技盤（５）と直交するようにベース部（２５，２５Ａ〜２５Ｄ）に固定的に設け、
　前記遊技部品（１８）は、遊技盤（５）に形成された装着孔（５ｂ）に取付けられ、
　前記ベース部（２５）の裏面に、ベース部（２５）に形成された取付け孔（２５ｂ）と連通し且つ有底の障害部材取付用の合成樹脂製の補助部材（４７）を設け、
　前記障害部材（４６）は、前記補助部材（４７）を介してベース部（２５）に固定され、
　前記補助部材（４７）は、遊技盤（５）に形成された嵌入孔（５ｃ）に嵌入される、
　ことを特徴とする弾球遊技機（以下「本願発明１」という。）。
　
第三．刊行物に記載された発明　
刊行物１；特開平８−２９４５６３号公報 
刊行物２；特開２０００−２３７３９１号公報
　　　　　
　当審の拒絶理由に引用され、本願出願前に頒布された、特開平８−２９４５６３号公報（以下、「引用刊行物１」という。）には、以下の記載がある。
　（１ａ）「【００２５】また、前述した各実施例では、前述したような第一種パチンコ遊技機において、可変入賞球装置に打玉を誘導する玉誘導部材を位置調整不可能な構成としているが、この位置調整不可能な玉誘導部材の構成を第三種パチンコ遊技機の始動通過口の下方に配される入賞口近傍の玉規制部材に適用することも可能である。以下、このような構成の実施例を説明する。先ず、図８を参照して本実施例に係る弾球遊技機（図示ではパチンコ遊技機）の遊技盤１３１の構成について説明する。図８は、遊技盤１３１を示す正面図である。図８において、遊技盤１３１のほぼ円状に設けられた誘導レール１３２の内側が遊技領域１３３として構成されており、該遊技領域１３３のほぼ中央には、可変表示装置１７０が配置され、また、該可変表示装置１７０の下方には、可変入賞球装置１６０が配置されている。」、
　（１ｂ）「【００２７】可変表示装置１７０と可変入賞球装置１６０との間の遊技領域１３３には、始動通過口１３４が配置されており、該始動通過口１３４は、通過玉検出器１３５が内蔵されて通過する打玉を検出するようになっている。・・・また、始動通過口１３４の下方位置には、入賞口１３６が配置されており、該入賞口１３６は、始動通過口１３４を通過した打玉を入賞玉として受け入れるようになっている。」、
　（１ｃ）「【００３３】次に、可変表示装置１７０の下方に配置される可変入賞球装置１６０の構成について説明する。可変入賞球装置１６０は、遊技盤１３１の表面に取り付けられる横長形状の取付基板１６１を有している。取付基板１６１の中央部分には、特別可変入賞口１６１ａが穿設されており、該特別可変入賞口１６１ａには、開閉部材１６２が設けられている。・・・なお、特別可変入賞口１６１ａ内には、開閉部材１６２の１回の開閉サイクル中に特別可変入賞口１６１ａに入賞する入賞玉を検出する入賞玉検出器１６３が設けられている。」、
　（１ｄ）「【００３５】以上の構成において、本実施例の遊技機では、図９（Ａ）（Ｂ）に示すように、可変入賞球装置１６０の上方に配される始動通過口（通過玉検出部材）１３４、入賞口（入賞部材）１３６、及び複数の釘１８２が取付基板１８１を介して遊技盤１３１に取り付けられている。なお、遊技盤１３１側には、可変入賞球装置１６０を取り付けるための取付開口１３１ａに加えて、始動通過口１３４、入賞口１３６、及び複数の釘１８２を備えた取付基板１８１を取り付けるための取付開口１３１ｂが穿設されている。そして、取付基板１８１には、始動通過口１３４及び入賞口１３６を取り付ける各取付穴１８１ｂ・１８１ｃが穿設されると共に、前述した実施例の釘保持部７ｂと同様な釘保持部１８１ａが形成されて釘１８２が位置調整不可能に取り付けられている。また、取付基板１８１に取り付けられた複数の釘１８２のうち入賞口１３６の上方に配された２本の釘は、入賞口１３６への打玉の入賞を規制する規制釘（玉規制部材）１８２ａをなしている。このように本実施例では、入賞口１３６への打玉の入賞を規制する規制釘１８２ａを位置調整不可能な構成としており、これによって、遊技機毎に始動通過後の入賞率を平等に設定している。また、本実施例では、取付基板１８１と可変入賞球装置１６０の取付基板１６１とを別体に設けた構成としているが、・・・
【００３６】なお、上記した実施例では、始動通過口下方に配された入賞口への打玉の入賞を規制する玉規制部材（規制釘）のみならず可変入賞球装置近傍の複数の釘を位置調整不可能な構成としているが、玉規制部材のみを位置調整不可能な構成とすることも可能である。・・・」。
　
　そして、上記【００３５】における「前述した実施例の釘保持部７ｂと同様な釘保持部１８１ａが形成されて釘１８２が位置調整不可能に取り付けられている。」の記載に基づき、「釘保持部７ｂ」及び「釘が位置調整不可能に取り付けられている」構成に係る「前述した実施例」の記載をみると、引用刊行物１には、以下の記載がある。
　（１ｅ）「【００１５】次に、上記した取付面７ａに対する誘導釘１７の取り付け構造について図４を参照して説明する。取付面７ａにおける誘導釘１７の植立部分には、図４に示すように、その裏面側に円筒状の釘保持部（取付部材）７ｂが立設されており、該釘保持部７ｂの中心軸には、誘導釘１７を取付面７ａに対して保持状態にて取り付ける保持穴７ｃが穿設されている。また、この保持穴７ｃの左右には、保持穴７ｃの軸芯方向と平行に解除穴７ｄが連通して穿設されている。なお、誘導釘１７の直径と各穴７ｃ・７ｄの直径との間には、保持穴７ｃの直径＜誘導釘１７の直径＜解除穴７ｄの直径、という関係のもとに設計されている。このため、保持穴７ｃに誘導釘１７を挿入した通常の取り付け状態では、誘導釘１７が取付面７ａに対して保持された状態にあるが、この状態で、ハンマー等によって誘導釘１７に水平方向の外力を加えると、誘導釘１７は、保持穴７ｃでの保持状態が解除されて解除穴７ｄに平行移動され、解除穴７ｄに遊嵌された状態となる。
【００１６】即ち、本実施例では、このような誘導釘１７の取り付け構造を採用することで、ハンマー等による誘導釘１７の位置調整を不可能にしており、ひいては可変入賞球装置６への打玉の誘導率を一定にすることで、遊技機毎に平等な大当り出玉数を設定している。・・・
【００１７】また、上記した実施例では、玉誘導部材（誘導釘１７）を位置調整不可能に取り付ける取付部材（釘保持部７ｂ）を可変入賞球装置６の取付基板７と一体的に形成すると共に、始動入賞口４を直接遊技盤１に取り付けた構造を例示しているが、特にこれに限定するものではなく、取付部材と可変入賞球装置の取付基板とを別体に設け、さらには取付部材に始動入賞口を取り付けた構造とすることも可能である。・・・」、
　（１ｆ）「【００２４】なお、上記した各実施例では、玉誘導部材（誘導釘）を位置調整不可能な構造とするために該玉誘導部材を取付穴及び解除穴を備えた取付部材（釘保持部）に取り付けているが、玉誘導部材の位置調整不可能な構造は、特にこれに限定するものではない。例えば、取付穴のみを取付部材に穿設すると共に、該取付部材の強度をその材料となる合成樹脂等の材質により調節する。そして、ハンマー等によって玉誘導部材が折曲し得る外力を受けたとき、玉誘導部材を保持した取付部材が破損するような構成とすることで、玉誘導部材の位置調整を不可能にすることも可能である。また、このような取付部材の破損により玉誘導部材の位置調整を不可能にする構成としては、図７に示すように、合成樹脂製の取付部材７６の保持部７６ａにピン７７をインサート成形したものや、合成樹脂製の取付基板上にピン状の玉誘導部材を一体成形したものも考えられる。なお、図７の構成では、ピン７７を確実に保持するためインサートされるピン７７の後端側に溝部７７ａを条設している。」。
　
　（１ｇ）さらに、誘導釘をインサート成形した取付部材を示す断面図である【図７】には「取付部材７６の裏面に設けられた、底部を有する保持部７６ａ」が記載され、また、取付基板、始動通過口、入賞口、及び可変入賞球装置の組み付け状態を示す断面図である【図９】（Ｂ）には「遊技盤表面に当接する取付基板１６１及び取付基板１８１が遊技盤１３１表面に当接」する様子、及び「始動通過口１３４、入賞口１３６、釘保持部１８１ａは、遊技盤１３１に穿設された複数の取付開口１３１ｂの内部に位置し」ている様子が記載されている。
　　
　したがって、引用刊行物１には、　　
　「　遊技領域１３３のほぼ中央に配置された可変表示装置１７０と、その下方に配置された可変入賞球装置１６０との間の遊技領域１３３には、通過する打玉を検出する通過玉検出器１３５が内蔵された始動通過口１３４が配置されており、始動通過口１３４の下方位置には、始動通過口１３４を通過した打玉を入賞玉として受け入れる入賞口１３６が配置されており、
　可変入賞球装置１６０は、遊技盤１３１の表面に当接する横長形状の取付基板１６１を有し、取付基板１６１の中央部分には、特別可変入賞口１６１ａが穿設され、特別可変入賞口１６１ａ内には、特別可変入賞口１６１ａに入賞する入賞玉を検出する入賞玉検出器１６３が設けられ、
　遊技盤１３１側には、可変入賞球装置１６０を取り付けるための取付開口１３１ａに加えて、始動通過口１３４、入賞口１３６、及び複数の釘１８２を備えた取付基板１８１を取り付けるための複数の取付開口１３１ｂが穿設され、遊技盤１３１の表面に当接する取付基板１８１には、釘保持部７ｂと同様な釘保持部１８１ａが形成されて釘１８２が位置調整不可能に取り付けられ、
　該釘保持部１８１ａは、前記取付開口１３１ｂの内部に位置している、弾球遊技機において、
　前記釘保持部７ｂは、取付面７ａの裏面側に円筒状に立設され、その中心軸には、誘導釘１７を取付面７ａに対して保持状態にて取り付ける保持穴７ｃが穿設され、この保持穴７ｃの左右には、保持穴７ｃの軸芯方向と平行に解除穴７ｄが連通して穿設されているものである、弾球遊技機であって、
　変形例として、可変入賞球装置６の取付基板７と一体的に形成している釘保持部７ｂを、取付基板と別体に設けることも可能であり、また、合成樹脂製の取付部材７６の裏面に設けられた、底部を有する保持部７６ａにピン７７をインサート成形したものも可能である、
　弾球遊技機。」の発明（以下、「引用発明１」という。）が記載されていると認められる。
　
　当審の拒絶理由に引用され、本願出願前に頒布された、特開２０００−２３７３９１号公報（以下、「引用刊行物２」という。）には、以下の記載がある。　
　（２ａ）「【０００５】・・・そこで、本発明は上記課題を解決すべくなされたもので、・・・更には盤面部品取付の作業性引いては生産能率の向上を図ることができるパチンコ遊技機の盤面部品を提供することを目的とするものである。
・・・
【０００９】また、盤面部品の裏側に遊技盤面に設けられた位置決め孔に挿入する位置決めピンを突設するようにすれば、遊技盤面を流下するパチンコ球が当ることによる荷重が位置決めピンで受け止められることとなり、盤面部品が補強され常に遊技盤面にガタつくことなくしっかりと固定される。」、
　（２ｂ）「【００１０】
【発明の実施の形態】以下、本発明に係るパチンコ遊技機の盤面部品の実施の形態を図面に基づき説明する。図１は本発明が適用される盤面部品、すなわち、入賞装置の表側から見た斜視図、図２は同裏側から見た斜視図、図３は同分解斜視図である。図中、Ａは入賞装置であり、取付基板１の中央に横長の開口２が形成され、該開口２に表側へ開閉自在に回動する開閉板３が装着される。また、前記取付基板１の表面に、開口２の両側に位置してパチンコ球を受け入れる受け口４，４が設けられている。
【００１１】・・・なお、該箱体７内には前記開口２から流入したパチンコ球を入賞処理するＶ入賞口と一般入賞口（共に図示せず。）とが配設される。」、
　（２ｃ）「【００１３】１４，１４は・・・、後記する遊技盤Ｂに開設された取付孔２４裏側の外周縁に係止する係合部材である。・・・一対の弾性腕１５，１５を有し、これら弾性腕１５，１５の先端外側面に外側を向く係止爪１６，１６が設けられている。該各係止爪１６，１６は側面山形をなし、その内、裏側へ傾斜する前側面１６ａが前記取付孔２４裏側の外周縁に係止することとなる。」、
　（２ｄ）「【００１７】・・・また、２３は前記取付基板１の裏面適宜位置に突設される複数の位置決めピンである。
【００１８】一方、遊技盤Ｂには、図５に示すように前記入賞装置Ａの枠体５の外径サイズより一回り大きい取付孔２４が貫設されている。また、遊技盤Ｂの表面であって取付孔２４の周囲に前記各位置決めピン２３が挿入される位置決め孔２５が設けられている。
【００１９】次に、前記入賞装置Ａの取付手順を説明する。遊技盤Ｂは組立ライン（図示せず。）の上面に水平に配置される。そして、機械（図示せず。）で入賞装置Ａを取付孔２４に嵌入固定する前に、図６に示すように作業者が手で入賞装置Ａを仮固定のため同図鎖線から実線位置のように取付孔２４へ一時的に臨ませる。・・・
【００２０】よって、図７に示すように次の工程で機械で入賞装置Ａを更に押し込み取付孔２４内に嵌入させるときも、入賞装置Ａはそのまま傾くことなく押し込まれ、両段部１９，１９が取付孔２４の外周縁から外れて両弾性腕１５，１５が内側に撓む。そして、係止爪１６，１６の頂部が取付孔２４の内周面を摺接しつつ下動する。・・・この状態で更に入賞装置Ａを押し込むことにより図７実線に示すように各位置決めピン２３が各位置決め孔２５に挿入され、同時に各係止爪１６，１６が取付孔２４から脱して両弾性腕１５，１５が元の形状に弾性復帰し、その両係止爪１６，１６の前側面１６ａ，１６ａが取付孔２４の裏側の外周縁に当接して係止する。
【００２１】・・・また、この場合位置決め孔２５に位置決めピン２３を挿入しているので補強され、遊技盤Ｂ面を流下するパチンコ球（図示せず。）が入賞装置Ａに当ってもその衝撃に耐え緩んで入賞装置Ａがガタつくことがない。」、
　（２ｅ）「【００２５】
【発明の効果】・・・しかも、遊技盤の変形により取付孔と位置決め孔との位置ずれが生じても、位置決めピンの位置決め孔への挿入が可能となり、盤面部品の取付の作業性引いては生産能率の向上が図かられる。
・・・
【００２７】更に、盤面部品の裏側に位置決めピンを設け、該位置決めピンを遊技盤面の位置決め孔に挿入するようにしたので、これにより補強され盤面部品が遊技盤面にしっかりと固定され、使用中に盤面部品に遊技盤面を落下するパチンコ球が頻繁に当っても盤面部品の取付状態が不安定になることはないといった効果を有する。」。
　
　したがって、引用刊行物２には、
　「入賞装置Ａは、取付基板１の表面に、パチンコ球を受け入れる開口２及び受け口４，４が設けられ、前記取付基板１の裏面適宜位置に、複数の位置決めピン２３が突設され、
　遊技盤Ｂには、前記入賞装置Ａを嵌入固定する取付孔２４が貫設され、また、前記取付孔２４の周囲に前記各位置決めピン２３が挿入される位置決め孔２５が表面に設けられ、前記入賞装置Ａの取付の作業性の向上を図ることができる、パチンコ遊技機であって、
　前記位置決めピン２３は、遊技盤面を流下する前記パチンコ球が入賞装置Ａに当ることによる荷重を受け止めることとなる、パチンコ遊技機。」の発明（以下、「引用発明２」という。）が記載されていると認められる。
　　　　　　　　　　
第四．比較・検討　
　本願発明１と引用発明１とを比較する。
　（四−１）引用発明１の「遊技領域１３３」は本願発明１の「遊技領域（５ａ）」に相当し、以下同様に、「打玉」は「発射された遊技球」に、「始動通過口１３４及び入賞口１３６並びに可変入賞球装置１６０」は「入賞又は通過する遊技部品（１８）」に、「遊技盤１３１」は「遊技盤（５）」に、「弾球遊技機」は「弾球遊技機」に、「遊技盤１３１の表面に当接」は「遊技盤（５）の表面に当接」に、「取付基板１６１及び取付基板１８１」は「ベース部（２５）」に、「複数の釘１８２」は「障害部材（４６）」に、「取付開口１３１ａ及び取付開口１３１ｂ」は「装着孔（５ｂ）」に、「釘保持部１８１ａ」は「補助部材（４７）」に、それぞれ相当する。
　（四−２）引用発明１の「複数の釘１８２」は「取付基板１８１に、釘保持部７ｂと同様な釘保持部１８１ａが形成されて位置調整不可能に取り付けられ」ているから、弾球遊技機の技術常識である「遊技球の落下方向を変化させる釘」及び「遊技盤と直交するように設けられる釘」との技術事項を併せて考慮すれば、引用発明１は本願発明１の「遊技球の落下方向を変化させる障害部材（４６）を遊技盤（５）と直交するようにベース部（２５）に固定的に設け」に相当する技術事項、及び「障害部材（４６）は、補助部材（４７）を介してベース部（２５）に固定され」に相当する技術事項を備えているといえる。
　（四−３）引用発明１の「可変入賞球装置１６０を取り付けるための取付開口１３１ａ」及び「始動通過口１３４、入賞口１３６、及び複数の釘１８２を備えた取付基板１８１を取り付けるための複数の取付開口１３１ｂ」について検討すると、当該事項は、「可変入賞球装置１６０、始動通過口１３４、入賞口１３６を取り付けるための取付開口１３１ａ、取付開口１３１ｂ」、及び「複数の釘１８２を取り付けるための取付開口１３１ｂ」と表現できるから、
　　イ）引用発明１は、本願発明１の「遊技部品（１８）は、遊技盤（５）に形成された装着孔（５ｂ）に取付けられ」に相当する事項を備え、
　　ロ）引用発明１の「釘保持部１８１ａは、取付開口１３１ｂの内部に位置している」事項と、本願発明１の「補助部材（４７）は、遊技盤（５）に形成された嵌入孔（５ｃ）に嵌入される」事項とを比較すると、両者は「補助部材は、遊技盤に形成された孔部に内在配置される」において共通する。
　（四−４）引用発明１の「変形例として、合成樹脂製の取付部材７６の裏面に設けられた、底部を有する保持部７６ａにピン７７をインサート成形したもの」について検討すると、取付部材７６は遊技盤の表面に当接するものであること、及び底部を有する保持部７６ａにインサートされたピン７７が取付部材７６を貫通して遊技領域に位置することは技術常識から明らかであるから、底部を有する保持部７６ａが合成樹脂製の取付部材７６に形成された孔部と連通しているといえる。そうすると、引用発明１は、本願発明１の「合成樹脂製のベース部（２５）」及び「ベース部（２５）の裏面に、ベース部（２５）に形成された取付け孔（２５ｂ）と連通し且つ有底の障害部材取付用の合成樹脂製の補助部材（４７）を設け」に相当する事項を備えているといえる。
　
　　したがって、両者の一致点及び相違点は次のとおりである。
　一致点
　遊技領域に発射された遊技球が入賞又は通過する遊技部品を遊技盤に備えた弾球遊技機において、
　前記遊技部品は、遊技盤の表面に当接する合成樹脂製のベース部を備え、遊技球の落下方向を変化させる障害部材を遊技盤と直交するようにベース部に固定的に設け、
　前記遊技部品は、遊技盤に形成された装着孔に取付けられ、
　前記ベース部の裏面に、ベース部に形成された取付け孔と連通し且つ有底の障害部材取付用の合成樹脂製の補助部材を設け、
　前記障害部材は、前記補助部材を介してベース部に固定され、
　前記補助部材は、遊技盤に形成された孔部に内在配置される、
　弾球遊技機。
　　　
　相違点　
　（Ａ）補助部材が、本願発明１では嵌入孔に嵌入されるのに対し、引用発明１では取付開口の内部に位置している点　　
　
　そこで、上記相違点（Ａ）について検討する。　　
　引用発明２の「位置決め孔２５に挿入され、パチンコ球が入賞装置Ａに当ることによる荷重を受け止めることとなる、位置決めピン２３」について検討すると、当該位置決めピン２３が前記荷重を受け止めるためには、位置決めピン２３が位置決め孔２５に遊嵌しているのでなく、緊密に嵌入しているものであることは明らかな事項である。そして、引用発明１の「釘保持部１８１ａ」と引用発明２の「位置決めピン２３」とは「遊技部品のベース部の裏面に設けられ、該遊技部品を遊技盤に取り付ける際に、遊技盤に形成された孔内に設置される突出部材」である点において共通しているから、引用発明１の「補助部材（釘保持部１８１ａ）」と引用発明２の「位置決めピン２３」とを組み合わせ、相違点（Ａ）に係る本願発明１を特定する事項とすることは当業者が容易になし得ることである。
　　　
　そして、本願発明１の効果は当業者が容易に予測できる程度のものである。
　
第五．むすび
　以上のとおり、本願発明１は、引用発明１及び２に基づいて当業者が容易に発明をすることができたものであるから、本願の他の請求項に係る発明について検討するまでもなく、本願は、特許法第２９条第２項の規定により、特許を受けることができない。
　
　よって、結論のとおり審決する。